(57)【要約】【課題】  可動接触子のはね返り抑制機構を機械的な手段を用いずに実現する。【解決手段】  主回路を開閉するための可動接触子１３と固定接触子１２を備えた接点部と、接点部を収納する消弧室１５と、可動接触子１３を開閉するための開閉機構部と、主回路の過電流を検出し可動接触子１３を開極させる過電流引外し部とを備えた回路遮断器において、可動接触子１３の開極位置付近に、遮断時に可動接触子１３に流れる電流とほぼ平行で、かつ同じ向きの電流が流れる電流経路を設ける。【選択図】        図１
2006324078.tif 000002
【特許請求の範囲】
【請求項１】
主回路を開閉するための可動接触子と固定接触子を備えた接点部と、該接点部を収納する消弧室と、前記可動接触子を開閉するための開閉機構部と、主回路の過電流を検出し前記可動接触子を開極させる過電流引外し部とを備えた回路遮断器において、
前記可動接触子の開極位置付近に、遮断時に前記可動接触子に流れる電流とほぼ平行で、かつ同じ向きの電流が流れる電流経路を設けることを特徴とする回路遮断器。
【請求項２】
請求項１記載の回路遮断器において、
遮断時に前記可動接触子と前記固定接触子の間にアークとして流れる電流とほぼ平行の電流が流れる電流経路を設けることを特徴とする回路遮断器。
【請求項３】
請求項２記載の回路遮断器において、
消弧装置又は排気口を備えており、アークとして流れる電流とほぼ平行で、かつ同じ向きの電流が流れる電流経路は、前記可動接触子と前記固定接触子の間に流れる電流に対し前記消弧装置又は排気口側に位置することを特徴とする回路遮断器。
【請求項４】
請求項２記載の回路遮断器において、
消弧装置又は排気口を備えており、アークとして流れる電流とほぼ平行で、かつ逆向きの電流が流れる電流経路は、前記可動接触子と前記固定接触子の間に流れる電流に対し前記消弧装置又は排気口とは反対側に位置することを特徴とする回路遮断器。
【発明の詳細な説明】
【技術分野】
【０００１】
本発明は、過電流から電路を保護する回路遮断器に関するものである。
【背景技術】
【０００２】
回路遮断器における遮断動作は、接点を開極させ、接点間の絶縁を回復させることによって行われる。このとき、接点間にはアークが発生し、その両端の電圧（以下、「アーク電圧」という。）は接点の開極距離の増大に伴って上昇することが知られている。このため、接点を高速で開離させることによって、素早くアーク電圧を上昇させ絶縁を回復することにより、遮断性能の向上が図られる。
【０００３】
しかし、接点を高速で開離させるため、高速で移動した可動接触子はストッパからはね返り一度開極した可動接触子が閉路方向に移動することで、アーク電圧の上昇が滞る現象が発生する。この現象を抑えるため、特許文献１に示すような機械的に可動接触子のはね返りを抑える構造が考案されている。
【特許文献１】特開平１０−１２５２０５号公報
【発明の開示】
【発明が解決しようとする課題】
【０００４】
従来の機械的なはね返り抑制手段では、開閉機構に部品や形状を追加する必要があり、開閉機構部の設計に制約を与える。また機械的なはね返り抑制が考慮されていない開閉機構部を持つ遮断器にこれを追加することは一般に困難である場合が多く、それらの遮断性能の改善には、新たに開閉機構を設計する必要があった。
【課題を解決するための手段】
【０００５】
上記２つの問題を解決するため、消弧室外周に電流経路を配置し、遮断時に可動接触子に流れる電流と同方向の電流を開極位置付近に存在させることにより、可動接触子のはね返りを電流相互の吸引力によって抑制する構造を設置する。
【０００６】
すなわち、本発明は、主回路を開閉するための可動接触子と固定接触子を備えた接点部と、該接点部を収納する消弧室と、前記可動接触子を開閉するための開閉機構部と、主回路の過電流を検出し前記可動接触子を開極させる過電流引外し部とを備えた回路遮断器において、前記可動接触子の開極位置付近に、遮断時に前記可動接触子に流れる電流とほぼ平行で、かつ同じ向きの電流が流れる電流経路を設ける回路遮断器である。
【０００７】
また、本発明は、遮断時に前記可動接触子と前記固定接触子の間にアークとして流れる電流とほぼ平行の電流が流れる電流経路を設ける回路遮断器である。
【０００８】
そして、本発明は、消弧装置又は排気口を備えており、アークとして流れる電流とほぼ平行で、かつ同じ向きの電流が流れる電流経路は、前記可動接触子と前記固定接触子の間に流れる電流に対し前記消弧装置又は排気口側に位置する回路遮断器である。
【０００９】
更に、本発明は、消弧装置又は排気口を備えており、アークとして流れる電流とほぼ平行で、かつ逆向きの電流が流れる電流経路は、前記可動接触子と前記固定接触子の間に流れる電流に対し前記消弧装置又は排気口とは反対側に位置する回路遮断器である。
【発明の効果】
【００１０】
本発明によれば、この構造により、開閉機構部の設計に制約を与える部品や形状を配置する必要が無くなり、かつはね返り抑制が考慮されていない開閉機構部を持つ遮断器にも容易にはね返り抑制構造を追加することが可能になる。
【００１１】
また、この構造では可動接触子が開極位置に達する前から可動接触子を引き上げる力が発生するため、より高速に可動接触子を開極し、アーク電圧の上昇を早めることができる。
【００１２】
さらに、この構造では電流が大きいほど強い吸引力を発生するため、大きな事故電流を遮断する際にはより大きな抑制効果を発揮することができる。
【発明を実施するための最良の形態】
【００１３】
本発明を実施するための最良の形態を説明する。
以下、本発明の回路遮断器の実施例について、図面を用いて説明する。
【実施例１】
【００１４】
実施例１を説明する。図１は本実施例の回路遮断器の構造を示す図である。本実施例の回路遮断器は、固定接点台１１およびそこに接合された固定接点１２、それに対向する位置に配置された可動接点１３とそれを支持する可動接点台１４、電流を遮断した際に接点間から発生するアークを消弧する消弧装置１５、電流を開閉するために可動接点台１４を駆動する開閉機構１６、過電流が流れた際に開閉機構１６を駆動し、接点を開離させる引き外し装置１７から構成される。
【００１５】
この回路遮断器に過電流が流れて引き外し装置１７が動作すると、開閉機構１６により可動接点台１４は急速に移動し、可動接点１３は固定接点１２から引き離される。このとき、可動接点台１４の移動はストッパ１８によって制限され、この位置が可動接点台１４の開路位置となるように構成される。固定接点台１１による電流経路は、消弧装置１５の外周を通過し、可動接点台１４の開路位置近傍に概ね平行になるように構成される。
【００１６】
図２（ａ）〜（ｃ）は本実施例における固定接点部の構造を示す平面図、正面図及び側面図である。図２に示す固定接点台は、回路遮断器外部に接続する端子２１と、回路遮断器に組み込まれた際に可動接点台の開極位置と近接した位置に概ね平行な位置に配置した電流経路２２によって構成され、固定接点２３を備えている。
【００１７】
図３は本実施例の原理説明図であり、遮断動作途中における状態を示したものである。本実施例における固定接点台３１に流れる電流３ａは、接点間のアーク３ｂを経て可動接点台３２の中を流れる電流３ｃとなる。このとき、電流３ａと電流３ｃは、ほぼ平行で、かつ同じ向きであり、互いに吸引しあうため、開極方向の力３ｄを発生する。この力３ｄは可動接点台３２を開極位置へ移動させ、かつ保持するように作用する。この力３ｄにより可動接点台３１にはね返りを抑制することができる。
【００１８】
なお、電流３ｅとアーク３ｂは、ほぼ平行で、かつ同じ向きであり、互いに吸引しあうため、アーク３ｂを図３における図面左側の方向に曲げる。また、電流３ｆとアーク３ｂは、ほぼ平行で、かつ逆向きであり、互いに反発しあうため、アーク３ｂを、同様に、図３における図面左側の方向に曲げる。したがって、アーク３ｂの距離を増大させ、絶縁を回復しやすくすることができる。また、図３における図面左側に消弧装置１５又は排気口を設けておくと、アーク３ｂがこれらの方向に曲がるため、容易に遮断を行うことができる。
【００１９】
以上、実施例で説明したように、本発明の回路遮断器の可動接触子のはね返り抑制手段を容易に追加できる構成としたため、機械的なはね返り抑制手段を備えていない遮断器でも容易に遮断性能の向上を図ることができる。
【図面の簡単な説明】
【００２０】
【図１】実施例１の構造図。
【図２】実施例１の固定接点台の構造の平面図、正面図及び側面図。
【図３】実施例１の原理説明図。
【符号の説明】
【００２１】
１１：固定接点台
１２：固定接点
１３：可動接点
１４：可動接点台
１５：消弧装置
１６：開閉機構
１７：引き外し装置
１８：ストッパ
２１：端子
２２：電流経路
２３：固定接点
３１：固定接点台
３２：可動接点台
３ａ、３ｅ、３ｆ：固定接点台に流れる電流
３ｂ：接点間のアーク
３ｃ：可動接点台に流れる電流
３ｄ：開極方向の力
【図１】
2006324078.tif 000003
【図２】
2006324078.tif 000004
【図３】
2006324078.tif 000005